(57)【要約】【課題】美観の向上を維持しながら、装着と取り外しとを容易に実施可能な化粧座金を提供する。【解決手段】化粧座金１０は、外縁１１が壁面９３に当接可能に形成され、内縁１２によって給水管９１を挿通する挿通孔１３が形成され、壁面９３から突出する給水管９１の付け根９４に装着されることにより、外縁１１と内縁１３との間に形成された凹部１６内に壁面９３と給水管９１との境界９５を内包して境界９５を隠蔽するものである。この化粧座金１０は、外縁１１から内縁１３に至って自身を略Ｃ字状に分断するスリット１４が設けられ、給水管９１を外縁１１と内縁１２との間において通すことが可能にスリット１４の拡幅を許容するように、弾性変形可能に構成されている。【選択図】図２
2006144227.tif 000002
【特許請求の範囲】
【請求項１】
外縁が平面に当接可能に形成され、内縁によって棒材を挿通する挿通孔が形成され、壁面その他の該平面から突出する該棒材の付け根に装着されることにより、該外縁と該内縁との間に形成された凹部内に該平面と該棒材との境界を内包して該境界を隠蔽する化粧座金において、
前記外縁から前記内縁に至って自身を略Ｃ字状に分断するスリットが設けられ、前記棒材を該外縁と該内縁との間において通すことが可能に該スリットの拡幅を許容するように弾性変形可能に構成されていることを特徴とする化粧座金。
【請求項２】
前記外縁と前記内縁との間がお椀形状又はテーパ形状をなしていることを特徴とする請求項１記載の化粧座金。
【請求項３】
前記スリットを跨ぐ両端には、互いに係合する係合部が設けられていることを特徴とする請求項１又は２記載の化粧座金。
【請求項４】
外縁が平面に当接可能に形成され、内縁によって棒材を挿通する挿通孔が形成され、壁面その他の該平面から突出する該棒材の付け根に装着されることにより、該外縁と該内縁との間に形成された凹部内に該平面と該棒材との境界を内包して該境界を隠蔽する化粧座金において、
略Ｃ字状をなす２個の分割体と、両該分割体が略Ｏ字状をなすように両該分割体間に設けられた蝶番とを有することを特徴とする化粧座金。
【請求項５】
前記両分割体を互いに係合する係合部を有することを特徴とする請求項４記載の化粧座金。
【請求項６】
樹脂製であることを特徴とする請求項１乃至５のいずれか１項記載の化粧座金。
【発明の詳細な説明】
【技術分野】
【０００１】
本発明は化粧座金に関する。
【背景技術】
【０００２】
特許文献１の図４〜６に、従来の一般的な化粧座金が開示されている。この化粧座金は、外縁が平面に当接可能に形成され、内縁によって給水管その他の棒材を挿通する挿通孔が形成され、外縁と内縁との間に凹部が形成された略Ｏ字状のものである。
【０００３】
この化粧座金は、壁面その他の平面から突出する棒材の付け根に装着されることにより、凹部内に平面と棒材との境界を内包して、境界を隠蔽する。このため、この化粧座金は、平面から突出する棒材の付け根の美観を向上させることが可能となっている。
【０００４】
【特許文献１】特開２０００−８７４０４号公報
【発明の開示】
【発明が解決しようとする課題】
【０００５】
しかし、上記従来の化粧座金は、略Ｏ字状であったため、装着や取り外しの作業に関して下記の通りの不具合があった。
【０００６】
すなわち、例えば、壁面から給水管が突出し、その給水管に室内側から止水栓等の水栓金具を接続する場合、給水管や水栓金具の付け根に化粧座金が装着される。従来の化粧金具を装着しようとする場合、予め化粧座金の挿通孔に給水管又は水栓金具を挿通し、この状態で給水管に水栓金具を接続しなければならない。また、既に給水管等の付け根に従来の化粧座金が装着され、その化粧座金を一旦取り外したいような場合も、わざわざ給水管と水栓金具との接続を外し、給水管又は水栓金具から化粧座金を抜き取らなければならない。つまり、従来の化粧座金は、装着や取り外しの作業性が非常に悪いものであった。
【０００７】
本発明は、上記従来の実情に鑑みてなされたものであって、美観の向上を維持しながら、装着と取り外しとを容易に実施可能な化粧座金を提供することを解決すべき課題としている。
【課題を解決するための手段】
【０００８】
第１発明の化粧座金は、外縁が平面に当接可能に形成され、内縁によって棒材を挿通する挿通孔が形成され、壁面その他の該平面から突出する該棒材の付け根に装着されることにより、該外縁と該内縁との間に形成された凹部内に該平面と該棒材との境界を内包して該境界を隠蔽する化粧座金において、
前記外縁から前記内縁に至って自身を略Ｃ字状に分断するスリットが設けられ、前記棒材を該外縁と該内縁との間において通すことが可能に該スリットの拡幅を許容するように弾性変形可能に構成されていることを特徴とする。
【０００９】
このような構成である第１発明の化粧座金は、平面から突出するように取り付けられている棒材の付け根に下記のように容易に装着することができる。
【００１０】
すなわち、この化粧座金を装着しようとする作業者は、この化粧座金のスリットを跨ぐ両端をそれぞれ左右の手で摘んで保持し、引き離すようにして、拡幅する。この際、この化粧座金は、棒材を外縁と内縁との間において通すことが可能にスリットの拡幅を許容するように弾性変形可能に構成されているため、スリットを跨ぐ両端の間には、棒材を内縁に形成された挿通孔まで通すことが可能な隙間が生じる。このため、作業者は、この拡幅されたスリットを棒材に向けながら化粧座金を移動させることにより、棒材を挿通孔内まで移動させることができる。この状態で作業者が手を離せば、化粧座金は弾性によって元の形状に復元し、スリットを跨ぐ両端が相対する状態となり、挿通孔に棒材が挿通された状態となる、このため、この化粧座金を装着する際に、化粧座金の挿通孔に予め棒材を挿通しておく手間が不要となっている。そして、化粧座金を棒材に沿ってスライドさせることにより、化粧座金は棒材の付け根に装着され、外縁と内縁との間に形成された凹部内に平面と棒材との境界を内包して境界を隠蔽することとなる。これにより、この化粧座金は、平面から突出する棒材の付け根の美観を向上させることができる。
【００１１】
また、平面から突出する棒材の付け根に既に装着されている第１発明の化粧座金は、上記の手順と逆の手順により、棒材の付け根から容易に取り外すことができる。このため、この化粧座金を取り外す際に、棒材を平面から取り外す作業が不要となっている。
【００１２】
したがって、第１発明の化粧座金は、美観の向上を維持しながら、装着と取り外しとを容易に実施することができる。
【００１３】
第１発明の化粧座金を構成する材料としては、棒材を外縁と内縁との間において通すことが可能にスリットの拡幅を許容する弾性材料であれば、どのようなものでもかまわない。例えば、樹脂、金属薄板等が使用可能である。樹脂製の化粧座金であることが製品コストの点で好ましい。
【００１４】
第１発明の化粧座金は、外縁と内縁との間がお椀形状をなすもの又はテーパ形状をなすものであることが好ましい。これらの形状の化粧座金は弾性変形が容易だからである。
【００１５】
第１発明の化粧座金において、前記スリットを跨ぐ両端には、互いに係合する係合部が設けられ得る。
【００１６】
この場合、この化粧座金は、係合部によってスリットを跨ぐ両端が互いに係合されるので、化粧座金の略Ｏ字状の形態をより確実に保持することができるとともに、化粧座金の棒材に対する固定力を向上させることができる。また、係合部によって、スリットを跨ぐ両端が引き寄せられて密着した状態で係合されるようにすれば、スリットが目立たなくなる。このため、第１発明の化粧座金は、平面から突出する棒材の付け根の美観をさらに向上させることができる。
【００１７】
第２発明の化粧座金は、外縁が平面に当接可能に形成され、内縁によって棒材を挿通する挿通孔が形成され、壁面その他の該平面から突出する該棒材の付け根に装着されることにより、該外縁と該内縁との間に形成された凹部内に該平面と該棒材との境界を内包して該境界を隠蔽する化粧座金において、
略Ｃ字状をなす２個の分割体と、両該分割体が略Ｏ字状をなすように両該分割体間に設けられた蝶番とを有することを特徴とする。
【００１８】
このような構成である第２発明の化粧座金においては、両分割体の各一端には蝶番が設けられ、各他端には両分割体が相対するスリットが形成されることとなる。このスリットを跨ぐ両端は、蝶番によって離反することができるので、棒材を外縁と内縁との間において通すことが可能にスリットの拡幅を許容するようにされている。このため、第２発明の化粧座金は、第１発明の化粧座金の弾性変形によるスリットの拡幅と同様の作用効果を蝶番によるスリットの拡幅により奏することができる。
【００１９】
このため、第２発明の化粧座金は、平面から突出するように取り付けられている棒材の付け根に、第１発明の化粧座金と同様の手順で、容易に装着することができる。
【００２０】
また、平面から突出する棒材の付け根に既に装着されている第２発明の化粧座金は、第１発明の化粧座金と同様の手順で、棒材の付け根から容易に取り外すことができる。
【００２１】
したがって、第２発明の化粧座金も、第１発明の化粧座金と同様に、美観の向上を維持しながら、装着と取り外しとを容易に実施することができる。
【００２２】
第２発明の化粧座金は、前記両分割体を互いに係合する係合部を有し得る。
【００２３】
この場合、この化粧座金は、係合部によって、スリットを跨ぐ両端が互いに係合されるので、化粧座金の略Ｏ字状の形態をより確実に保持することができるとともに、化粧座金の棒材に対する固定力を向上させることができる。また、係合部によって、スリットを跨ぐ両端が引き寄せられて密着した状態で係合されるようにすれば、スリットが目立たなくなる。このため、第２発明の化粧座金は、平面から突出する棒材の付け根の美観をさらに向上させることができる。
【００２４】
第２発明の化粧座金を構成する材料としては、どのようなものでもかまわないが、樹脂製であることが好ましい。樹脂製の化粧座金であれば、製品コストの低廉化を実現することができる。
【発明を実施するための最良の形態】
【００２５】
以下、本発明を具体化した実施例１〜４を図面を参照しつつ説明する。
【実施例１】
【００２６】
図１及び図２に示すように、実施例１の化粧座金１０は、外縁１１が壁面９３に当接可能に形成され、内縁１２によって給水管９１を挿通する挿通孔１３が形成されたものである。また、化粧座金１０は、弾性変形し易いＰＥ（ポリエチレン）樹脂又はＰＰ（ポリプロピレン）樹脂からなる。
【００２７】
この化粧座金１０において、外縁１１と内縁１２との間は、図１（ｂ）に示すように、薄肉のお椀形状をなしている。このため、外縁１１と内縁１２との間には、凹部１６が形成されている。また、化粧座金１０には、外縁１１から内縁１２に至って自身を略Ｃ字状に分断するスリット１４が設けられている。そして、化粧座金１０は、給水管９１を外縁１１と内縁１２との間において通すことが可能にスリット１４の拡幅を許容するように、弾性変形可能に構成されている。
【００２８】
このような構成である実施例１の化粧座金１０は、図２に示すように、給水管９１の付け根９４に下記のように容易に装着することができる。この給水管９１は、壁面９３から突出するように取り付けられ、止水栓９２が接続されている。
【００２９】
すなわち、この化粧座金１０を装着しようとする作業者は、この化粧座金１０のスリット１４を跨ぐ両端１５ａ、１５ｂをそれぞれ左右の手で摘んで保持し、引き離すようにして、拡幅する。この際、この化粧座金１０は、給水管９１を外縁１１と内縁１２との間において通すことが可能にスリット１４の拡幅を許容するように弾性変形可能に構成されている。このため、スリット１４を跨ぐ両端１５ａ、１５ｂの間には、スリット１４が拡幅されて、給水管９１を内縁１２に形成された挿通孔１３まで通すことが可能な隙間が生じる。このため、作業者は、この拡幅されたスリット１４を給水管９１に向けながら化粧座金１０を移動させることにより、給水管９１を挿通孔１３内まで移動させることができる。この状態で作業者が手を離せば、化粧座金１０は弾性によって元の形状に復元し、スリット１４を跨ぐ両端１５ａ、１５ｂが相対する状態となり、挿通孔１３に給水管９１が挿通された状態となる。このため、この化粧座金１０を装着する際に、化粧座金１０の挿通孔１３に予め給水管９１を挿通しておく手間が不要となっている。そして、図３に示すように、化粧座金１０を給水管９１に沿ってスライドさせることにより、化粧座金１０は給水管９１の付け根９４に装着され、外縁１１と内縁１２との間に形成された凹部１６内に壁面９３と給水管９１との境界９５を内包して境界９５を隠蔽することとなる。これにより、この化粧座金１０は、壁面９３から突出する給水管９１の付け根９４の美観を向上させることができている。
【００３０】
また、図３に示すように、壁面９３から突出する給水管９１の付け根９４に既に装着されている実施例１の化粧座金１０は、上記の手順と逆の手順により、給水管９１の付け根９４から容易に取り外すことができる。このため、この化粧座金１０を取り外す際に、止水栓９２や給水管９１を壁面９３から取り外す作業が不要となっている。
【００３１】
したがって、実施例１の化粧座金１０は、美観の向上を維持しながら、装着と取り外しとを容易に実施することができている。
【００３２】
また、この化粧座金１０は、外縁１１と内縁１２との間がお椀形状をなすものであるので、弾性変形が容易になっており、本発明の作用効果をより確実に奏することができている。
【００３３】
さらに、この化粧座金１０は、弾性変形し易い樹脂製であるので、上記作用効果を奏することに加えて、お椀形状に成形されることが容易になっている。このため、この化粧座金１０は、製品コストの低廉化することが可能となっている。
【実施例２】
【００３４】
図４に示すように、実施例２の化粧座金２０において、スリット２４を跨ぐ両端２５ａ、２５ｂには、互いに係合する係合部２７ａ、２７ｂが設けられている。外縁２１、内縁２２、挿通孔２３、凹部２６その他の構成は全て、実施例１の化粧座金１０と同様である。
【００３５】
図４（ｃ）に示すように、係合部２７ａは凸部２７１ａを有し、係合部２７ｂは凹部２７１ｂを有している。このため、図５に示すように、凸部２７１ａと凹部２７１ｂとが嵌合することにより、係合部２７ａ、２７ｂを互いに係合させることが可能な構成とされている。この際、スリット２４は、係合部２７ａ、２７ｂによって、スリット２４を跨ぐ両端２５ａ、２５ｂが引き寄せられて密着した状態で係合される。
【００３６】
このような構成である実施例２の化粧座金２０は、図２及び図３に示す実施例１の化粧座金１０の装着手順と同様の手順で、壁面９３から突出するように取り付けられている給水管９１の付け根９４に容易に装着することができる。
【００３７】
また、壁面９３から突出する給水管９１の付け根９４に既に装着されている実施例２の化粧座金２０は、実施例１の化粧座金１０と同様の手順で、給水管９１の付け根９４から容易に取り外すことができる。
【００３８】
この際、この化粧座金２０は、係合部２７ａ、２７ｂによってスリット２４を跨ぐ両端２５ａ、２５ｂが互いに係合されるので、略Ｏ字状の形態をより確実に保持することができているとともに、化粧座金２０の給水管９１に対する固定力を向上させることができている。
【００３９】
また、係合部２７ａ、２７ｂによって、スリット２４を跨ぐ両端２５ａ、２５ｂが引き寄せられて密着した状態で係合されるので、スリット２４が目立たなくなっている。このため、実施例２の化粧座金２０は、壁面９３から突出する給水管９１の付け根９４の美観をさらに向上させることができている。
【実施例３】
【００４０】
図６に示すように、実施例３の化粧座金３０は、略Ｃ字状をなす２個の分割体３０ａ、３０ｂと、両分割体３０ａ、３０ｂが略Ｏ字状をなすように両分割体３０ａ、３０ｂ間に設けられた蝶番３８とを有する。外縁３１、内縁３２、挿通孔３３、凹部３６その他の構成は全て、実施例１の化粧座金１０と同様である。なお、実施例３の化粧座金３０は、実施例１の化粧座金１０と異なり、硬質なＰＰ（ポリプロピレン）樹脂又はＡＢＳ樹脂からなる。
【００４１】
蝶番３８は、図６（ｂ）に示すように両分割体３０ａ、３０ｂの各一端に設けられており、蝶番上部材３８ａ、蝶番下部材３８ｂ及びねじ３８ｃで構成される。蝶番上部材３８ａ及び蝶番下部材３８ｂは、図７に示すように、両分割体３０ａ、３０ｂの各一端に各々設けられたものであり、図６に示すように、ねじ３８ｃにより双方が回転可能に結合される。
【００４２】
このような構成である実施例３の化粧座金３０では、両分割体３０ａ、３０ｂにおける蝶番３８が設けられた一端と反対側の他端に両分割体３０ａ、３０ｂが相対するスリット３４が形成されることとなる。このスリット３４を跨ぐ両端３５ａ、３５ｂは、図８に示すように、蝶番３８によって離反することができるので、給水管を外縁３１と内縁３２との間において通すことが可能にスリット３４の拡幅を許容するようにされている。このため、実施例３の化粧座金３０は、実施例１の化粧座金１０の弾性変形によるスリット１４の拡幅と同様の作用効果を蝶番３８によるスリット３４の拡幅により奏することができる。
【００４３】
このため、実施例３の化粧座金３０は、図２及び図３に示す実施例１の化粧座金１０の装着手順と同様の手順で、壁面９３から突出するように取り付けられている給水管９１の付け根９４に容易に装着することができる。
【００４４】
また、壁面９３から突出する給水管９１の付け根９４に既に装着されている実施例３の化粧座金３０は、実施例１の化粧座金１０と同様の手順で、給水管９１の付け根９４から容易に取り外すことができる。
【００４５】
したがって、実施例３の化粧座金３０も、実施例１の化粧座金１０と同様に、美観の向上を維持しながら、装着と取り外しとを容易に実施することができている。
【実施例４】
【００４６】
図９に示すように、実施例４の化粧座金４０においては、スリット４４を跨ぐ両端４５ａ、４５ｂに互いに係合する係合部４７ａ、４７ｂが設けられている。外縁４１、内縁４２、挿通孔４３、凹部４６、蝶番４８、蝶番上部材４８ａ、蝶番下部材４８ｂ、ねじ４８ｃその他の構成は全て、実施例３の化粧座金３０と同様である。
【００４７】
図１０に示すように、係合部４７ａは凸部４７１ａを有し、係合部４７ｂは受け部４７１ｂを有している。このため、図９に示すように、凸部４７１ａと受け部４７１ｂが嵌合することにより、係合部４７ａ、４７ｂを互いに係合させることが可能な構成とされている。この際、スリット４４は、係合部４７ａ、４７ｂによって、スリット４４を跨ぐ両端４５ａ、４５ｂが引き寄せられて密着した状態で係合される。
【００４８】
このような構成である実施例４の化粧座金４０は、図２及び図３に示す実施例１の化粧座金１０の装着手順と同様の手順で、壁面９３から突出するように取り付けられている給水管９１の付け根９４に容易に装着することができる。
【００４９】
また、壁面９３から突出する給水管９１の付け根９４に既に装着されている実施例４の化粧座金４０は、実施例１の化粧座金１０と同様の手順で、給水管９１の付け根９４から容易に取り外すことができる。
【００５０】
この際、この化粧座金４０は、係合部４７ａ、４７ｂによってスリット４４を跨ぐ両端４５ａ、４５ｂが互いに係合されるので、略Ｏ字状の形態をより確実に保持することができているとともに、化粧座金４０の給水管９１に対する固定力を向上させることができている。
【００５１】
また、係合部４７ａ、２４ｂによって、スリット４４を跨ぐ両端４５ａ、４５ｂが引き寄せられて密着した状態で係合されるので、スリット４４が目立たなくなっている。このため、実施例４の化粧座金４０は、壁面９３から突出する給水管９１の付け根９４の美観をさらに向上させることができている。
【００５２】
以上において、本発明を実施例１〜４に即して説明したが、本発明は上記実施例１〜４に制限されるものではなく、その趣旨を逸脱しない範囲で適宜変更して適用できることはいうまでもない。
【産業上の利用可能性】
【００５３】
本発明は、給水管、手すり等の棒材の付け根に設けられる化粧座金に利用可能である。
【図面の簡単な説明】
【００５４】
【図１】実施例１の化粧座金に係り、（ａ）は化粧座金の上面図であり、（ｂ）は（ａ）におけるＡ−Ａ断面を示す断面図である。
【図２】実施例１の化粧座金の装着方法を示す概略斜視図である。
【図３】実施例１の化粧座金の装着後の状態を示す概略斜視図である。
【図４】実施例２の化粧座金に係り、（ａ）は化粧座金の上面図であり、（ｂ）は（ａ）におけるＢ−Ｂ断面を示す断面図であり、（ｃ）は（ａ）におけるＣ−Ｃ断面を示す要部拡大断面図である。
【図５】実施例２の化粧座金に係り、（ａ）は係合部を係合した状態の化粧座金の上面図であり、（ｂ）は（ａ）におけるＤ−Ｄ断面を示す要部拡大断面図である。
【図６】実施例３の化粧座金に係り、（ａ）は化粧座金の上面図であり、（ｂ）は（ａ）におけるＥ−Ｅ断面を示す断面図である。
【図７】実施例３の化粧座金に係り、（ａ）は化粧座金の一方の分割体の上面図及び側面図であり、（ｂ）は他方の分割体の上面図及び側面図である。
【図８】実施例３の化粧座金の装着方法を示す上面図である。
【図９】実施例４の化粧座金に係り、（ａ）は化粧座金の上面図であり、（ｂ）は（ａ）におけるＦ−Ｆ断面を示す断面図である。
【図１０】実施例４の化粧座金に係り、（ａ）は化粧座金の一方の分割体の上面図及び側面図であり、（ｂ）は他方の分割体の上面図及び側面図である。
【図１１】実施例４の化粧座金の装着方法を示す上面図である。
【符号の説明】
【００５５】
１０、２０、３０、４０…化粧座金
１１、２１、３１、４１…外縁
１２、２２、３２、４２…内縁
１３、２３、３３、３３…挿通孔
１４、２４、３４、４４…スリット
１５ａ、１５ｂ、２５ａ、２５ｂ、３５ａ、３５ｂ、４５ａ、４５ｂ…スリットを跨ぐ両端
１６、２６、３６、４６…凹部
２７ａ、２７ｂ、４７ａ、４７ｂ…係合部
３０ａ、３０ｂ、４０ａ、４０ｂ…分割体
３８、４８…蝶番
９１…給水管
９３…壁面
９４…付け根
９５…境界
【図１】
2006144227.tif 000003
【図２】
2006144227.tif 000004
【図３】
2006144227.tif 000005
【図４】
2006144227.tif 000006
【図５】
2006144227.tif 000007
【図６】
2006144227.tif 000008
【図７】
2006144227.tif 000009
【図８】
2006144227.tif 000010
【図９】
2006144227.tif 000011
【図１０】
2006144227.tif 000012
【図１１】
2006144227.tif 000013